(57)【要約】【課題】外部電源の供給能力を有効に活用可能な電子機器を提供することを目的とする。【解決手段】外部電源からの電力を入力する電源入力部と、第１機能と第１機能よりも電力を消費する第２機能を実行可能な情報処理部と、電源入力部に電力が入力されると、第１機能の実行と第２機能の実行を許可するか否かの表示を行う表示部と、表示部の表示に対する操作を受け付ける操作部と、を備え、情報処理部は、操作部の受け付けた操作に応じて、第１機能の実行のみを許可するか、第１機能の動作および第２機能の実行を許可するか、を切り替える。【選択図】図１
2015007961.tif 000002
【特許請求の範囲】
【請求項１】
外部電源からの電力を入力する電源入力部と、
第１機能と前記第１機能よりも電力を消費する第２機能を実行可能な情報処理部と、
前記電源入力部に電力が入力されると、前記第１機能の実行と前記第２機能の実行を許可するか否かの表示を行う表示部と、
前記表示部の表示に対する操作を受け付ける操作部と、を備え、
前記情報処理部は、前記操作部の受け付けた操作に応じて、前記第１機能の実行のみを許可するか、前記第１機能の動作および前記第２機能の実行を許可するか、を切り替える、
電子機器。
【請求項２】
前記情報処理部は、
前記第１機能の動作および前記第２機能の実行を許可する場合、
前記電源入力部から電力が入力されている間は、前記表示部による前記第１機能の動作および前記第２機能の動作を許可するか否かの表示を行わない、
請求項１記載の電子機器。
【請求項３】
被写体像を撮像し、画像データを生成する撮像装置であって、
外部電源からの電力を入力する電源入力部と、
第１機能と前記第１機能よりも電力を消費する第２機能を実行可能なカメラコントローラと、
前記電源入力部に電力が入力されると、前記第１機能の実行と前記第２機能の実行を許可するか否かの表示を行う表示部と、
前記表示部の表示に対する操作を受け付ける操作部と、を備え、
前記カメラコントローラは、前記操作部の確認結果に応じて、前記第１機能の実行のみを許可するか、前記第１機能の動作および前記第２機能の実行を許可するか、を切り替える、
撮像装置。
【発明の詳細な説明】
【技術分野】
【０００１】
本開示は、外部電源から通信ケーブルを介して電源供給が可能な電子機器及び撮像装置に関する。
【背景技術】
【０００２】
通信ケーブルを介して、他の電子機器等の外部電源から電源供給を受けて、動作可能な電子機器が知られている。例えば、ＵＳＢ（Ｕｎｉｖｅｒｓａｌ  Ｓｅｒｉａｌ  Ｂｕｓ）規格に準拠するホスト機器とＵＳＢケーブルを介してＵＳＢ接続される電子機器は、ホスト機器からの電源供給、すなわち外部ＵＳＢ電源からの電源供給、を受けて動作する。このようなホスト機器からの電源供給によって動作可能な電子機器について、外部ＵＳＢ電源から供給されるＵＳＢ規格で規定されている上限電流値５００ｍＡを超える電流が必要な動作をさせると、ＵＳＢ電源および電子機器に不具合を生じる可能性がある。そこで、ＵＳＢのホスト機器にＵＳＢ規格で定義されていない規格外電流を供給可能な拡張電力モードを有し、電子機器側でホスト機器が拡張電力モードを有していると確認された場合のみ、ＵＳＢ規格で規定されている上限電流値５００ｍＡより高い規格外電流を必要とする主動作部の動作を有効化することで不具合の発生を防ぐ構成が開示されている（例えば、特許文献１参照）。
【先行技術文献】
【特許文献】
【０００３】
【特許文献１】特開２００９−１７６１９０号公報
【発明の概要】
【発明が解決しようとする課題】
【０００４】
本開示は、外部電源の供給能力を有効に活用可能な電子機器及び撮像装置を提供することを目的とする。
【課題を解決するための手段】
【０００５】
本開示の電子機器は、外部電源からの電力を入力する電源入力部と、第１機能と第１機能よりも電力を消費する第２機能を実行可能な情報処理部と、電源入力部に電力が入力されると、第１機能の実行と第２機能の実行を許可するか否かの表示を行う表示部と、表示部の表示に対する操作を受け付ける操作部と、を備え、情報処理部は、操作部の受け付けた操作に応じて、第１機能の実行のみを許可するか、第１機能の動作および第２機能の実行を許可するか、を切り替える。
【発明の効果】
【０００６】
本開示によれば、外部電源の供給能力を有効に活用可能な電子機器及び撮像装置を提供することが可能である。
【図面の簡単な説明】
【０００７】
【図１】図１は、実施の形態１の電子機器の構成を示すブロック図である。
【図２】図２は、実施の形態１の電子機器の動作を示すフローチャートである。
【図３】図３は、実施の形態１の撮像装置の構成を示すブロック図である。
【図４】図４は、実施の形態１の撮像装置の第１機能と第２機能の一例を示した図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
（実施の形態１）
外部ＵＳＢ電源を用いて動作する電子機器において、ホスト機能を有したＰＣ（Ｐｅｒｓｏｎａｌ  Ｃｏｍｐｕｔｅｒ）などの機器だけでなく、ＵＳＢ−ＡＣ（Ａｌｔｅｒｎａｔｉｎｇ  ｃｕｒｒｅｎｔ）アダプター等のホスト機能を有しない外部ＵＳＢ電源と接続して利用する場合もある。ＵＳＢ−ＡＣアダプターは、ＵＳＢ規格に対応する電子機器に対して、ＵＳＢ規格で規定されるＤ＋端子とＤ−端子とを所定の抵抗値以下で短絡することで、５００ｍＡ以上の電源供給能力を有していることが判別できる。
【００１１】
このようなＵＳＢ−ＡＣアダプターが外部ＵＳＢ電源として接続された場合に、電子機器側で５００ｍＡを超える電源供給が可能であることが分かっても、電子機器の動作が５００ｍＡを超える電源供給を必要とするような場合には、電源供給能力不足により不具合を生じる可能性がある。例えば、ＵＳＢ−ＡＣアダプターが８００ｍＡの電源供給が可能で、電子機器の動作が１５００ｍＡの電源供給が必要な場合がこれに該当する。
【００１２】
そこで、電子機器がＵＳＢ規格で保証される５００ｍＡの電源供給のみを受けて動作可能にすることで、ＵＳＢ−ＡＣアダプター側の不具合発生に関して防止可能である。しかし、その結果、電子機器の動作に必要な電源供給が５００ｍＡを超える場合に、実施できない電子機器の動作がある。
【００１３】
また、電子機器を動作させるために、ＵＳＢ―ＡＣアダプターからの電源供給を無制限に行なうと、接続されるＵＳＢ―ＡＣアダプターによっては、ＵＳＢ―ＡＣアダプターの電源供給能力以上の電源能力が必要になり、ユーザーの意図しないタイミングで、電源供給がストップし、突然に電源オフとなるような不具合を生じる可能性がある。
【００１４】
さらに、特許文献１の構成では、ホスト機器は拡張電力モードで動作可能または動作中であることを電子機器に通知する構成が必要であり、さらに、電子機器はホスト機器が拡張電力モードで動作中であることを確認する手段が必要である。
【００１５】
本開示は、外部電源の供給能力を有効に活用できる電子機器及び撮像装置を提供することを目的とする。
【００１６】
実施の形態１の電子機器は、外部ＵＳＢ電源が接続されると、どのような種別の外部ＵＳＢ電源が接続されたかを判別する。電子機器の電源がオンになると、接続先がＵＳＢ−ＡＣアダプターである場合には、電子機器は、ＵＳＢ規格の充電規格で保証される５００ｍＡ以下の電流で動作が可能な動作モード（以下、省電力モード）で一時的に起動させる。その後、ユーザーに対して、電子機器の全ての動作を許可するか否かの選択をするためのメッセージを表示する。ユーザーの選択結果において、ユーザーが全動作を許可した場合に限り、電子機器の動作を制限無しで行う。
【００１７】
以下、本実施形態の電子機器の構成および動作を説明する。
【００１８】
〔１．電子機器の構成〕
図１を用いて電子機器の構成を説明する。図１は、電子機器の構成を示すブロック図である。電子機器１００は、電源入力部１０１と、接続先判別部１０２と、電源入力制限部１０３と、充電制御部１０４と、電池接続部１０５と、情報処理部１０６と、表示部１０７と、操作部１０８と、を備える。電池１０５ｂは電池接続部１０５に接続される。
【００１９】
電源入力部１０１は、外部ＵＳＢ電源から電源供給を受け付ける端子であり、ＵＳＢ接続用の端子である。外部ＵＳＢ電源のＤ＋、Ｄ−のデータラインと接続可能である。
【００２０】
接続先判別部１０２は、電源入力部１０１に接続された外部ＵＳＢ電源の、Ｄ＋、Ｄ−のデータラインに対して、ＵＳＢ規格の充電規格で規定された確認動作を行い、外部ＵＳＢ電源の種別の判別を行う。接続先判別部１０２は、電子機器１００の主要な処理を行う情報処理部１０６が起動していない状態であっても、単独で判別動作可能に構成されている。また、接続先判別部１０２は、電池１０５ｂが接続されていない状態であっても、判別動作可能に構成されている。
【００２１】
電源入力制限部１０３は、接続先判別部１０２の判別結果もしくは情報処理部１０６からの指示により、電源入力部１０１から、充電制御部１０４およびその後段の情報処理部１０６への電源供給の制御を行う。
【００２２】
充電制御部１０４は、電池１０５ｂに対する充電動作の制御を行う。すなわち、充電制御部１０４は、電源入力部１０１から供給された電力を電池接続部１０５に接続された電池１０５ｂに対して供給し、電池１０５ｂを充電する。また、充電制御部１０４は、電源入力部１０１から供給された電力および電池１０５ｂから供給された電力のうちいずれか一方または両方を用いて、情報処理部１０６への所定の電圧、例えば５Ｖ、で電源供給を行う。このとき、充電制御部１０４は、電子機器１００の各部に対する電源供給元を外部ＵＳＢ電源または電池１０５ｂのいずれかに切り替える制御を行う。このように、充電制御部１０４は二種類の電圧、すなわち電池１０５ｂの充電のための電圧および情報処理部１０６等の駆動のための電圧、を出力可能である。充電制御部１０４は、例えば充電制御ＩＣである。なお、充電制御部１０４は、接続先判別部１０２と、電源入力制限部１０３とともに、電源制御部１０９を構成する。電源制御部１０９全体が１つの充電制御ＩＣとして構成されてもよい。
【００２３】
情報処理部１０６は、例えば、ＣＰＵなどを含み、ＣＰＵが所定のプログラムを実行することにより電子機器１００の第１機能および第２機能を実現するための各種処理を行う。ここで、第１機能とはＵＳＢ規格の充電規格で保証される５００ｍＡ以下の電流で動作が可能な機能、例えば記憶されている画像の再生処理機能、である。第２機能とはＵＳＢ規格の充電規格で保証される５００ｍＡ以下の電流で動作が困難な機能、例えば画像の符号化機能、である。第１機能は、電源入力部１０１から供給される電力のみで確実に動作可能な機能である。第２機能は、第１機能よりも大電力、すなわち５００ｍＡよりも大きい電流、を必要とし、電源入力部１０１から供給される電力のみでは動作できないか、不安定になる可能性のある機能である。なお、情報処理部１０６は、ハードウェア回路のみでその機能を実現するよう構成されてもよい。
【００２４】
表示部１０７は、情報処理部１０６が各種処理の実行結果として出力する文字や画像を表示する。表示部１０７は、例えば液晶モニタや有機ＥＬモニタで構成される。
【００２５】
操作部１０８は、ボタン、レバー、ダイヤル、タッチパネル等で構成され、ユーザーの操作を受け付けて、その操作信号を情報処理部１０６に伝達する。
【００２６】
表示部１０７および操作部１０８は、ユーザーとの入出力を行うユーザーインタフェースの一例である。
【００２７】
〔２．動作〕
図２は、電子機器１００に外部ＵＳＢ電源が接続されたときの動作を示すフローチャートである。
【００２８】
電子機器１００の電源入力部１０１に外部ＵＳＢ電源が接続されると、電源制御部１０９はＵＳＢ電源から電力が供給され、電源制御部１０９は動作を開始する。
【００２９】
（ステップＳ２０１）接続先判別部１０２は、ＵＳＢ電源のＤ＋、Ｄ−のデータラインに対してＵＳＢ規格の充電規格で規定された確認動作を実施し、接続された外部ＵＳＢ電源がどのような種別であるかの判別を行う。外部ＵＳＢ電源はＵＳＢ−ＡＣアダプターである判別は、例えば、Ｄ＋データラインに所定の電圧を印加したときにＤ−データラインに現れる電圧が所定値以上となる場合である。この判別結果は、接続先判別部１０２内のレジスタに記憶される。外部ＵＳＢ電源がＵＳＢ−ＡＣアダプターであると判別した場合、外部ＵＳＢ電源からは５００ｍＡの電流が供給可能である。このとき、充電制御部１０４は、外部ＵＳＢ電源からの電力を使用して電池接続部１０５に接続された電池１０５ｂへの充電を行っても良いし、行わなくても良い。接続先がＵＳＢ−ＡＣアダプターである場合には、電子機器１００は、ＵＳＢ規格の充電規格で保証される５００ｍＡ以下の電流で動作が可能な動作モード（以下、省電力モード）で一時的に起動する。
【００３０】
（ステップＳ２０２）接続先判別部１０２で接続先判別が完了した後、電源入力制限部１０３は、電子機器１００の電源がオンされたかどうかを確認する。電源がオンされたかどうかの確認は、電源入力制限部１０３に接続された図示しない電源スイッチがオンされたかどうかを検出する。電源がオンされた場合、すなわちステップＳ２０２において「ＹＥＳ」の場合は、ステップＳ２０３へ処理を進める。電源がオフである場合、すなわちステップＳ２０２において「ＮＯ」の場合、は、電源がオンにされるまで待つ。
【００３１】
（ステップＳ２０３）電源がオンされると、外部ＵＳＢ電源からの電力が電源入力制限部１０３により情報処理部１０６を含む電子機器１００全体に供給され、情報処理部１０６が動作を開始する。情報処理部１０６は、電源がオンされて動作を開始するとまず初めに、接続先判別の結果を、接続先判別部１０２内のレジスタを読み出すことにより確認する。接続された外部ＵＳＢ電源がＵＳＢ−ＡＣアダプター以外であると判別した場合、すなわちステップＳ２０３において「ＮＯ」の場合は、ステップＳ２０４へ処理を進める。
【００３２】
（ステップＳ２０４）接続された外部ＵＳＢ電源がＵＳＢ−ＡＣアダプター以外であると判別した場合、それぞれの接続先に応じた動作モードで電子機器１００の動作を行う。例えば、接続された外部ＵＳＢ電源がＰＣである場合には、マスストレージモードでの動作を行う。
【００３３】
（ステップＳ２０５）接続された外部ＵＳＢ電源がＵＳＢ−ＡＣアダプターである場合、すなわちステップＳ２０３において「ＹＥＳ」の場合、情報処理部１０６は、ＵＳＢ充電の規格にてＵＳＢ−ＡＣアダプターに保証されている５００ｍＡ以下の電源供給で起動が可能な省電力モードにて、一旦、電子機器１００全体の起動処理を行う。
【００３４】
（ステップＳ２０６）省電力モードにて起動後、情報処理部１０６は、ユーザーに対して電子機器１００の全動作を許可するか否かの確認を実施する。例えば、確認の方法は次の通りである。情報処理部１０６は、液晶モニタなどの表示部１０７上に全動作を許可するか否かの選択肢を表示する。ユーザーは、操作部１０８を操作することにより、許可する、または許可しない、のいずれかを選択する。
【００３５】
（ステップＳ２０７）情報処理部１０６は、ユーザーによる操作部１０８への入力に基づき、ユーザーの選択結果を判断する。ユーザーが電子機器１００の全動作を許可したと判断する場合、すなわち「ＹＥＳ」の場合、は、ステップＳ２０８へ処理を進める。ユーザーが電子機器１００の全動作を許可しないと判断する場合、すなわち「ＮＯ」の場合は、ステップＳ２０９へ処理を進める。
【００３６】
（ステップＳ２０８）ユーザーが電子機器１００の全動作を許可したと判断する場合、すなわちステップＳ２０７において「ＹＥＳ」の場合、は、情報処理部１０６は、電子機器１００を制限無しのモードで動作させる。制限無しのモードとは、電子機器１００が、とりうる全ての動作を許可するモードのことを指し、第１機能および第２機能を共に実行可能なモードを指す。すなわち、制限なしのモードは、情報処理部１０６が、第１機能の動作および第２機能の動作を行うことを許可するモードである。したがって、外部ＵＳＢ電源の電源供給能力が高く、第２機能の動作を実行するために必要な電源を供給可能であれば、電子機器１００は、第２機能の動作を実行することができる。ただし、接続されているＵＳＢ−ＡＣアダプターの電源供給能力に対して、電子機器１００の負荷が大きくなるような場合は、ＵＳＢ−ＡＣアダプターからの電源供給が不足することにより、電子機器１００の電源がオフとなるような状況が発生する可能性がある。
【００３７】
（ステップＳ２０９）ユーザーが電子機器１００の全動作を許可しないと判断する場合、すなわちステップＳ２０７において「ＮＯ」の場合、は、電子機器１００を制限付きのモードで動作させる。制限付きのモードとは、ＵＳＢ−ＡＣアダプターからの電源供給が、５００ｍＡを超えて動作する状態を禁止したモード、すなわち５００ｍＡの電源供給で動作可能な動作のみを行うことを許可したモード、を意味する。すなわち、制限付きのモードは、第１機能の動作のみを許可するモードである。制限付きのモードで動作する場合、電子機器１００は第２機能の動作を実行することはできないが、ＵＳＢ−ＡＣアダプターが確実に供給可能な５００ｍＡの電源供給により動作する。従って、制限なしのモードで動作する場合と異なり、電子機器１００の動作が不安定になり、突然電源がオフになるようなことはない。
【００３８】
以上のように、本実施の形態において、電子機器１００は、外部電源からの電力を入力する電源入力部と、第１機能と第１機能よりも電力を消費する第２機能を実行可能な情報処理部と、電源入力部に電力が入力されると、第１機能の実行と第２機能の実行を許可するか否かの表示を行う表示部と、表示部の表示に対する操作を受け付ける操作部と、を備え、情報処理部は、操作部の受け付けた操作に応じて、第１機能の実行のみを許可するか、第１機能の動作および第２機能の実行を許可するか、を切り替える。
【００３９】
これにより、電子機器１００にＵＳＢ−ＡＣアダプターが接続された場合に、ユーザーに電子機器１００の全動作を許可するか否かを選択させることができる。したがって、電源供給能力が高いＵＳＢ−ＡＣアダプターが接続されたときには、ユーザーが全動作を許可することにより、全動作を行うことができる。このため、外部ＵＳＢ電源の電源供給能力を有効に活用可能である。一方、電源供給能力が低い、または不明なＵＳＢ−ＡＣアダプターが接続されたときには、ユーザーが全動作を許可せず、制限付きのモードで電子機器１００を動作させることにより、電源供給不足により電子機器１００の電源が突然オフになってしまうようなことを防止できる。すなわち、ユーザーの意図しない状況における不具合の発生を回避する電子機器を提供することができる。
【００４０】
〔３．他の実施の形態〕
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００４１】
上記実施の形態において、図２のステップＳ２０６で、ユーザーに対して電子機器１００の全動作を許可するか否かの確認を行うものとして説明したが、一度全動作を許可していた場合には、以降リセットされるまで、電子機器１００が起動したときのステップＳ２０６の処理を省略し、毎回制限なしのモードで動作するような構成としてもよい。具体的には、過去のユーザーの入力結果を情報処理部１０６がメモリ等に記憶しておき、ユーザーへの確認を行う代わりにメモリに記憶された情報を読み出して判断するようにしてもよい。逆に、ユーザーが一度全動作を許可しないことを選択した場合に、以降電子機器が起動したときのステップＳ２０６の処理を省略し、毎回制限付きのモードで動作するような構成としてもよい。
【００４２】
すなわち、電子機器において、情報処理部は、第１機能の動作および第２機能の実行を許可する場合、電源入力部から電力が入力されている間は、表示部による第１機能の動作および第２機能の動作を許可するか否かの表示を行わない構成である。
このように構成することで、毎回ユーザーに確認を行わなくてもよくなり、ユーザーの手間が省略できる。
【００４３】
また、電子機器１００のメニュー項目に全動作を許可するか否かを設定する項目を設けておき、事前にその項目が全動作許可、または許可しない、となっているような場合に、ステップＳ２０６の処理を省略してメニューでの設定にしたがったモードで動作し、メニュー項目で、起動時に毎回確認する、と設定されている場合にのみ上記実施の形態のように起動時にユーザーに確認するような構成としてもよい。
【００４４】
上記実施の形態において、図２のステップＳ２０５で、ＵＳＢ−ＡＣアダプター以外の機器を接続した場合の動作例として、ＰＣの場合はマスストレージモードでの動作を行うものとして説明したが、他の動作を行うものとしてもよい。また、電池１０５ｂがある場合はマスストレージモードで動作し、電池１０５ｂが無い場合には動作を行わない、すなわち起動しない、というように、電池１０５ｂの有無により動作モードが異なってもよい。
【００４５】
上記実施の形態において、接続先判別部１０２と、電源入力制限部１０３と、充電制御部１０４は、各々上記のような機能および構成を有するものとして説明したが、それぞれの処理部の持つ機能および構成の一部が他の処理部に含まれるような構成としてもよい。
【００４６】
上記実施の形態において、充電制御部１０４および情報処理部１０６は、各々上記のような機能および構成を有するものとして説明したが、一方の処理部の持つ機能および構成の一部が他方の処理部に含まれるような構成としてもよい。
【００４７】
上記実施の形態において、情報処理部１０６はステップＳ２０６において、ユーザーに対して電子機器１００の全動作を許可するか否かの確認を実施するものとしたが、より具体的に、第２機能の動作を許可するか否かの確認を実施するようにしてもよい。
【００４８】
上記実施の形態において説明した電源制御の概念は、種々の電子機器に適用できる。例えば、デジタルカメラ、ムービーカメラ、スマートフォンのような画像を撮像する機能を有する撮像装置に適用できる。
〔４．撮像装置の構成〕
撮像装置として、図１に示す電源制御の構成を適用したデジタルカメラの説明を、図３を用いて説明する。図３は、デジタルカメラ３００の構成を示す図である。デジタルカメラ３００は、レンズ３０１とカメラボディ３０２を備える。
【００４９】
カメラボディ３０２は、レンズコントローラ３０３と、ＣＭＯＳイメージセンサ３０４と、液晶モニタ３０５と、画像処理部３０６と、タイミング発生器（ＴＧ）３０７と、カメラコントローラ３０８と、レリーズ釦３０９と、操作部３１０と、電源入力部３１１と、電源制御部３１２と、ＤＲＡＭ３１３と、フラッシュメモリ３１４と、カードスロット３１５と、電池接続部３１６を備える。電池３１６ｂは電池接続部３１６に接続される。メモリカード３１７はカードスロット３１５に接続される。
【００５０】
ここで、図１の電源入力部１０１は、図３の電源入力部３１１と対応し、図１の電源制御部１０９は、図３の電源制御部３１２と対応し、図１の情報処理部１０６は、図３のカメラコントローラ３０８と対応し、図１の表示部１０７は、図３の液晶モニタ３０５と対応し、図１の操作部１０８は、図３のレリーズ釦３０９、操作部３１０と対応する。図１の電池接続部１０５及び電池１０５ｂはそれぞれ図３の電池接続部３１６及び電池３１６ｂと対応する。
【００５１】
レンズコントローラ３０３は、レンズ３０１全体の動作を制御する。レンズコントローラ３０３は、ハードワイヤードな電子回路で構成してもよいし、プログラムを用いたマイクロコンピュータなどで構成してもよい。
【００５２】
カメラコントローラ３０８は、レリーズ釦３０９や操作部３１０等の操作部材からの指示に応じて、ＣＭＯＳイメージセンサ３０４等の各部を制御することにより、デジタルカメラ３００全体の動作を制御する。カメラコントローラ３０８は垂直同期信号をタイミング発生器３０７に送信する。これと並行して、カメラコントローラ３０８は、垂直同期信号に基づいて露光同期信号を生成する。カメラコントローラ３０８は、生成した露光同期信号を、レンズコントローラ３０３に周期的に繰り返して送信する。これにより、カメラコントローラ３０８は、露光のタイミングに同期するように、レンズ３０１内のフォーカスレンズ等のレンズを制御することが可能となる。カメラコントローラ３０８は、制御動作や画像処理動作の際に、ＤＲＡＭ３１３をワークメモリとして使用する。カメラコントローラ３０８は、ハードワイヤードな電子回路で構成してもよいし、プログラムを用いたマイクロコンピュータなどで構成してもよい。また、画像処理部３０６やＤＲＡＭ３１３とは同一の半導体チップで構成しても別個に構成してもよい。さらに、電源入力部３１１に接続された外部ＵＳＢ電源の判別結果に基づいて、デジタルカメラ３００の動作の制御を行う。具体的には、外部ＵＳＢ電源がＵＳＢ−ＡＣアダプター以外であると判別した場合、カメラコントローラ３０８は、マスストレージモード等の他のモードで実行可能に制御する。外部ＵＳＢ電源がＵＳＢ−ＡＣアダプターであると判別した場合、ユーザーに対して、液晶モニタ３０５上に全動作を許可するか否かの選択肢を表示させ、全動作を許可する場合は、第１機能および第２機能をともに実行可能に制御し、制限付きのモードの場合は、第１機能のみを実行可能に制御する。
【００５３】
ＣＭＯＳイメージセンサ３０４は、受光素子と、ＡＧＣ（オート・ゲイン・コントローラ）と、ＡＤコンバータとを含んで構成される。受光素子は、レンズ３０１によって集光された光学的信号を電気信号に変換し、画像データを生成する。またＡＧＣは、受光素子から出力された電気信号を増幅する。ＡＤコンバータは、ＡＧＣから出力された電気信号をデジタル信号に変換する。ＣＭＯＳイメージセンサ３０４は、タイミング発生器３０７により制御されるタイミングで動作する。タイミング発生器３０７により制御されるＣＭＯＳイメージセンサ３０４の動作には、静止画像の撮像動作、スルー画像の撮像動作、データ転送動作、電子シャッタ動作等がある。スルー画像は主に動画像であり、静止画像の撮像のための構図を決めるために液晶モニタ３０５に表示されるものである。ＣＭＯＳイメージセンサ３０４が生成した画像情報は、カメラコントローラ３０８を介して、画像処理部３０６に供給される。なお、ＣＭＯＳイメージセンサ３０４に代えて、ＮＭＯＳイメージセンサやＣＣＤイメージセンサ等の他の撮像素子を用いてもよい。
【００５４】
画像処理部３０６は、ＣＭＯＳイメージセンサ３０４内のＡＤコンバータによってデジタル信号に変換された画像データに、所定の画像処理を施す。所定の画像処理としては、ガンマ補正処理、ホワイトバランス補正処理、キズ補正処理、ＹＣ変換処理、デジタルズーム処理、圧縮処理、伸張処理等が考えられるが、これに限られるものではない。
【００５５】
液晶モニタ３０５は、カメラボディ３０２の背面に配置される表示部である。液晶モニタ３０５は、画像処理部３０６で処理された表示用の画像データが示す画像を表示する。液晶モニタ３０５は、動画像と静止画像とを選択的に表示できる。また、画像の他、デジタルカメラ３００の設定条件等の情報を表示できる。表示部の一例として液晶モニタ３０５を示すが、表示部はこれに限らない。例えば、表示部として有機ＥＬディスプレイを用いてもよい。さらに液晶モニタ３０５は、電源入力部３１１に外部ＵＳＢ電源が接続された後、ユーザーに対してデジタルカメラ３００の全動作を許可するか否かの確認を実施する。
【００５６】
フラッシュメモリ３１４は、画像データ等を記憶するための内部メモリとして機能する。また、フラッシュメモリ３１４は、カメラコントローラ３０８が制御を行う際に使用するプログラムやパラメータを保存する。
【００５７】
カードスロット３１５は、メモリカード３１７をカメラボディ３０２に装着可能な接続手段である。カードスロット３１５は、メモリカード３１７を電気的及び機械的に接続可能である。
【００５８】
メモリカード３１７は、内部にフラッシュメモリ等の記憶素子を備えた外部メモリである。メモリカード３１７は、カメラコントローラ３０８で処理された画像データ等のデータを記憶可能である。また、メモリカード３１７は、内部に記憶する画像データ等のデータを出力可能である。メモリカード３１７から読み出された画像データは、カメラコントローラ３０８や画像処理部３０６で処理され、例えば液晶モニタ３０５に出力される。外部メモリの一例としてメモリカード３１７を示すが、外部メモリはこれに限らない。例えば、ハードディスクのような記憶媒体を外部メモリとして使用することもできる。  レリーズ釦３０９は、ユーザーによる撮影指示またはオートフォーカス指示の操作を受け付ける。レリーズ釦３０９は半押しと全押しの二段階の操作をユーザーから受け付けられる。ユーザーによるレリーズ釦３０９の半押し操作により、カメラコントローラ３０８はオートフォーカス動作を実行する。また、ユーザーによるレリーズ釦３０９の全押し操作により、カメラコントローラ３０８は全押し操作のタイミングに応じて生成された画像データをメモリカード３１７に記録する。
【００５９】
操作部３１０は、上下左右方向の操作指示が可能な十字釦や、デジタルカメラ３００の動作モードを撮影モード及び再生モードの間で切り替えるためのモード切替釦を含む。カメラコントローラ３０８は、ユーザーによるモード切替釦の操作に基づいて、デジタルカメラ３００の動作モードを撮影モードおよび再生モードの間で切り替えるように全体を制御する。さらに、液晶モニタ３０５のユーザーに対してデジタルカメラ３００の全動作を許可するか否かの確認に対して、ユーザーは、操作部１０８を操作することにより、許可する、または許可しない、のいずれかを選択する。
【００６０】
電源入力部３１１は、デジタルカメラ３００を駆動するための電力を供給する。電源入力部３１１は、外部ＵＳＢ電源から電源供給を受け付ける端子である。電源入力部３１１に外部ＵＳＢ電源が接続されると、電源制御部３１２は、接続された外部ＵＳＢ電源がどのような種別であるかの判別を行う。
【００６１】
図４は、デジタルカメラ３００における第１機能と第２機能の一例を示した図である。リストはフラッシュメモリ３１４に記憶されている。第１機能は、液晶モニタの制御、操作部の制御、再生モードの制御であり、第２機能は、ＣＭＯＳイメージセンサの制御、レンズの制御、撮影モードの制御である。
【００６２】
デジタルカメラ３００の電源が電源入力部３１１、電源制御部３１２によってオンされ、カメラコントローラ３０８は、制限無しのモード、制限付きのモードまたはマスストレージモード等の他のモードであるか否かに応じて、カメラボディ３０２内の各部に電力を供給するよう電源を制御する。また、カメラコントローラ３０８は、制限無しのモード、制限付きのモードまたはマスストレージモード等の他のモードであるか否かに応じて、レンズ３０１にも電力を供給するよう電源を制御する。そして、レンズ３０１には、レンズコントローラ３０３によりレンズ３０１に電力が供給される。
【００６３】
以上のように、本実施の形態において、デジタルカメラ３００は、被写体像を撮像し、画像データを生成する撮像装置であって、外部電源からの電力を入力する電源入力部と、第１機能と第１機能よりも電力を消費する第２機能を実行可能なカメラコントローラと、電源入力部に電力が入力されると、第１機能の実行と第２機能の実行を許可するか否かの表示を行う表示部と、表示部の表示に対する操作を受け付ける操作部と、を備え、カメラコントローラは、操作部の確認結果に応じて、第１機能の実行のみを許可するか、第１機能の動作および第２機能の実行を許可するか、を切り替える。
【００６４】
これにより、デジタルカメラ３００にＵＳＢ−ＡＣアダプターが接続された場合に、ユーザーにデジタルカメラ３００の全動作を許可するか否かを選択させることができる。したがって、電源供給能力が高いＵＳＢ−ＡＣアダプターが接続されたときには、ユーザーが全動作を許可することにより、全動作を行うことができる。このため、外部ＵＳＢ電源の電源供給能力を有効に活用可能である。一方、電源供給能力が低い、または不明なＵＳＢ−ＡＣアダプターが接続されたときには、ユーザーが全動作を許可せず、制限付きのモードでデジタルカメラ３００を動作させることにより、電源供給不足によりデジタルカメラ３００の電源が突然オフになってしまうようなことを防止できる。すなわち、ユーザーの意図しない状況における不具合の発生を回避するデジタルカメラを提供することができる。
【産業上の利用可能性】
【００６５】
本開示は、外部電源を、通信ケーブルを介して電源供給が可能な電子機器及び撮像装置、デジタルカメラ、ムービーカメラ、携帯電話、スマートフォン等の電子機器に対して適用可能である。
【符号の説明】
【００６６】
１００  電子機器
１０１、３１１  電源入力部
１０２  接続先判別部
１０３  電源入力制限部
１０４  充電制御部
１０５、３１６  電池接続部
１０５ｂ、３１６ｂ  電池
１０６  情報処理部
１０７  表示部
１０８、３１０  操作部
１０９、３１２  電源制御部
３００  デジタルカメラ
３０１  レンズ
３０２  カメラボディ
３０３  レンズコントローラ
３０４  ＣＭＯＳイメージセンサ
３０５  液晶モニタ
３０６  画像処理部
３０７  タイミング発生器
３０８  カメラコントローラ
３０９  レリーズ釦
３１３  ＤＲＡＭ
３１４  フラッシュメモリ
３１５  カードスロット
３１７  メモリカード
【図１】
2015007961.tif 000003
【図２】
2015007961.tif 000004
【図３】
2015007961.tif 000005
【図４】
2015007961.tif 000006